(57)【要約】      （修正有）【課題】  レバーアーチ型ファイル機構を提供する。【解決手段】  基部１０２に固定されたおよびポスト１０６に対して移動可能なアーチと基部１０２から上方に向かって延びる二つのリングの閉鎖配置とリング開放配置との間でリングを選択的に移動させるべくアーチ１２４を回転可能なレバー組立体１０８とを備え、レバー組立体１０８が、相互に接続される少なくとも第一リンク１３６と第二リンクとを有し、第一リンクが、基部１０２に対して固定された第一軸Ｐ−Ｐを中心として基部１０２に対して回転可能であり、第二リンク１３２が、基部１０２に固定された第二軸Ｓ−Ｓを中心として基部１０２に対して回転可能であり、レバー組立体１０８が２つの安定配置間で移動する間、第一リンクが、第一角度αまで基部１０２に対して回転可能であり、第二リンクが、第一角度ａより大きな第二角度βまで基部１０２に対して回転可能である。【選択図】図２
2008260263.tif 000002
【特許請求の範囲】
【請求項１】
基部と、
各々が、前記基部に固定されたポスト部材および前記基部および前記ポスト部材に対して移動可能となっているアーチ部材を有しているとともに、前記基部から上方に向かって延びている少なくとも２つのリングと、
リング閉鎖配置とリング開放配置との間で前記リングを選択的に移動させるべく前記アーチ部材を前記ポスト部材に対して回転させるために、２つの安定配置間を前記基部に対して移動可能となっているレバー組立体とを備えており、
前記レバー組立体が、相互に接続される少なくとも第一のリンク部材および第二のリンク部材を有しており、
前記第一のリンク部材が、前記基部に対して固定されている第一の軸を中心として前記基部に対して回転可能となっており、前記第二のリンク部材が、前記基部に対して固定されている第二の軸を中心として前記基部に対して回転可能となっているレバーアーチ型ファイル機構。
【請求項２】
前記第一のリンク部材と前記第二のリンク部材とが、少なくとも第三のリンク部材を通じて、相互に接続されている請求項１に記載の機構。
【請求項３】
前記第一のリンク部材が、前記リングを開くために下方に向かって回転可能となっている請求項１または２に記載の機構。
【請求項４】
前記第一のリンク部材が、前記リングを開くために上方に向かって回転可能となっていている請求項１または２に記載の機構。
【請求項５】
前記第一のリンク部材の第一の端部が前記第三のリンク部材と接続されており、前記アーチ部材を結合するとともに前記アーチ部材間に位置する成形部に沿って移動可能となっているアクチュエータを、前記第一のリンク部材の第二の端部が支持するように構成されている請求項２乃至４のうちのいずれか一の項に記載の機構。
【請求項６】
前記第二のリンク部材の第一の端部が前記第三のリンク部材と接続され、前記第二のリンク部材の第二の端部が第四のリンク部材と接続されている請求項２乃至５のうちのいずれか一の項に記載の機構。
【請求項７】
前記第四のリンク部材が、高位置と低位置との間で前記第二のリンク部材に対して回転可能となっている請求項６に記載の機構。
【請求項８】
前記リングが前記リング閉鎖配置に置かれているとき、前記第四のリンク部材が、前記レバー組立体の配置を変えることなく、前記第二のリンク部材に対して回転可能となっている請求項６または７に記載の機構。
【請求項９】
前記第四のリンク部材が、前記低位置の方向に向かって付勢されるように構成されている請求項７または８に記載の機構。
【請求項１０】
前記第四のリンク部材が、その重量により前記低位置の方向に向かって付勢されるように構成されている請求項９に記載の機構。
【請求項１１】
前記基部の部材に対する前記第一のリンク部材の回転移動の範囲を制限するための手段を備えている請求項１乃至１０のうちのいずれか一の項に記載の機構。
【請求項１２】
前記第一の軸と前記基部との間の距離が、前記第二の軸と前記基部との間の距離より大きくなっている請求項１乃至１１のうちのいずれか一の項に記載の機構。
【請求項１３】
基部と、
各々が、前記基部に固定されたポスト部材および前記基部および前記ポスト部材に対して移動可能となっているアーチ部材を有しているとともに、前記基部から上方に向かって延びている少なくとも２つのリングと、
リング閉鎖配置とリング開放配置との間で前記リングを選択的に移動させるべく前記アーチ部材を前記ポスト部材に対して回転させるために、２つの安定配置間を前記基部に対して移動可能となっているレバー組立体とを備えており、
前記レバー組立体が、相互に接続される少なくとも第一のリンク部材および第二のリンク部材を有しており、
前記レバー組立体が前記２つの安定配置間を移動する間、前記第一のリンク部材が、第一の角度まで前記基部に対して回転可能となっているとともに、前記第二のリンク部材が、前記第一の角度とは異なる第二の角度まで前記基部に対して回転可能となっているレバーアーチ型ファイル機構。
【請求項１４】
前記第一のリンク部材が、前記アーチ部材を結合しているとともに前記アーチ部材間に位置している成形部に沿って移動可能となっているアクチュエータを支持するように構成されている請求項１３に記載の機構。
【請求項１５】
前記第一の角度が前記第二の角度よりも大きくなっている請求項１３または１４に記載の機構。
【請求項１６】
前記第一のリンク部材および前記第二のリンク部材が、少なくとも第三のリンク部材を通じて相互に接続されている請求項１３乃至１５のうちのいずれか一の項に記載の機構。
【請求項１７】
前記第二のリンク部材が、前記リングを開くために下方に向かって回転可能となっている請求項１３乃至１６のうちのいずれか一の項に記載の機構。
【請求項１８】
前記第二のリンク部材が、前記リングを開くために上方に向かって回転可能となっている請求項１３乃至１６のうちのいずれか一の項に記載の機構。
【請求項１９】
前記第二のリンク部材の第一の端部が前記第三のリンク部材と接続され、前記第二のリンク部材の第二の端部が第四のリンク部材と接続されている請求項１６乃至１８のうちのいずれか一の項に記載の機構。
【請求項２０】
前記第四のリンク部材が、高位置と低位置との間で前記第二のリンク部材に対して回転可能となっている請求項１９に記載の機構。
【請求項２１】
前記リングが前記リング閉鎖配置に置かれているとき、前記四のリンク部材が、前記レバー組立体の配置を変えることなく、前記第二のリンク部材に対して回転可能となっている請求項２０に記載の機構。
【請求項２２】
前記第四のリンク部材が、前記低位置の方向に向かって付勢されるように構成されている請求項２０または２１に記載の機構。
【請求項２３】
前記第四のリンク部材が、その重量により前記低位置の方向に向かって付勢されるように構成されている請求項２２に記載の機構。
【請求項２４】
前記基部の部材に対する前記第一のリンク部材の回転移動の範囲を制限するための手段を備えている請求項１３乃至２３のうちのいずれか一の項に記載の機構。
【請求項２５】
前記第一の角度が、前記第二の角度よりも少なくとも２倍大きくなっている請求項１５乃至２４のうちのいずれか一の項に記載の機構。
【請求項２６】
基板に固定された請求項１乃至２５のうちのいずれか一の項に記載のレバーアーチ型ファイル機構を備えてなるレバーアーチ型ファイル。
【発明の詳細な説明】
【技術分野】
【０００１】
本発明は、ファイル内に孔の開いた一束の紙を保持するためのデバイスに関するものであり、さらに詳細には、レバーアーチ型ファイル機構を備えたデバイスに関するものである。
【背景技術】
【０００２】
従来のレバーアーチ型ファイル機構には、一対のアーチを一対の固定ポストに対して回転させて孔の開いた紙をファイル機構から取り除くかまたはファイル機構に挿入し、ポストおよびアーチを閉じて一対の閉鎖リングを形成してその中に紙を保管することを可能とするようになっている片腕レバーが設けられている。一対のアーチは中間成形部と一体式に形成されている。レバーに取り付けられているローラは、レバーの回転移動中に中間成形部上を移動することにより、リング対を開放または閉鎖するようになっている。
【発明の開示】
【発明が解決しようとする課題】
【０００３】
以上のような従来のファイル機構において、リング対が開いているとき、レバーの上側自由端部が、アーチのうちの１つに非常に接近し、場合によってはそれに接触してしまうようなことがある。したがって、リング対が開いているときには、紙を、一対の固定ポストのみから取り出すまたはそこに挿入することができるものの、一対の回転可能なアーチから取り出すまたはそこに挿入することはできない。
【０００４】
したがって、本発明の目的は、上記の欠点を軽減したレバーアーチ型ファイル機構およびこのような機構を有したレバーアーチ型ファイルを供給することまたは少なくとも公衆に対して有用な代替品を提供することにある。
【課題を解決するための手段】
【０００５】
本発明の第一の態様によれば、基部を含むレバーアーチ型ファイル機構であって、基部と、各々が基部に固定されたポスト部材と基部およびポスト部材に対して移動可能となっているアーチ部材とを有しているとともに基部から上方に向かって延びている少なくとも２つのリングと、リング閉鎖配置とリング開放配置との間でリングを選択的に移動させるべくアーチ部材をポスト部材に対して回転させるために、２つの安定配置間を基部に対して移動可能となっているレバー組立体とを備え、レバー組立体が、相互に接続される少なくとも第一のリンク部材と第二のリンク部材とを有しているレバーアーチ型ファイル機構において、第一のリンク部材が、基部に対して固定された第一の軸を中心として基部に対して回転可能となっており、第二のリンク部材が、基部に対して固定された第二の軸を中心として基部に対して回転可能となっていることを特徴とする機構が提供されている。
【０００６】
本発明の第二の態様によれば、基部を含むレバーアーチ型ファイル機構であって、基部と、各々が基部に固定されたポスト部材と基部およびポスト部材に対して移動可能となっているアーチ部材とを有しているとともに基部から上方に向かって延びている少なくとも２つのリングと、リング閉鎖配置とリング開放配置との間でリングを選択的に移動させるべくアーチ部材をポスト部材に対して回転させるために、２つの安定配置間を基部に対して移動可能となっているレバー組立体とを備え、レバー組立体が、相互に接続されている少なくとも第一のリンク部材と第二のリンク部材とを有しているレバーアーチ型ファイル機構において、レバー組立体が２つの安定配置間を移動する間、第一のリンク部材が、第一の角度まで基部部材に対して回転可能となっており、第二のリンク部材が、第一の角度とは異なる第二の角度まで基部部材に対して回転可能となっていることを特徴とする機構が提供されている。
【０００７】
本発明の第三の態様によれば、基板に固定されているレバーアーチ型ファイル機構を有したレバーアーチ型ファイルであって、基部と、各々が基部に固定されたポスト部材と基部およびポスト部材に対して移動可能となっているアーチ部材とを有しているとともに基部から上方に向かって延びている少なくとも２つのリングと、リング閉鎖配置とリング開放配置との間でリングを選択的に移動させるべくアーチ部材をポスト部材に対して回転させるために、２つの安定配置間を基部に対して移動可能となっているレバー組立体とを備え、レバー組立体が、相互に接続されている少なくとも第一のリンク部材と第二のリンク部材とを有しているレバーアーチ型ファイル機構において、第一のリンク部材が、基部の部材に対して固定された第一の軸を中心として基部の部材に対して回転可能となっており、第二のリンク部材が、基部の部材に対して固定された第二の軸を中心として基部の部材に対して回転可能となっていることを特徴とする機構が提供されている。
【０００８】
本発明の第四の態様によれば、基板に固定されているレバーアーチ型ファイル機構を有したレバーアーチ型ファイルであって、基部と、各々が基部に固定されたポスト部材と基部およびポスト部材に対して移動可能となっているアーチ部材とを有しているとともに基部から上方に向かって延びている少なくとも２つのリングと、リング閉鎖配置とリング開放配置との間でリングを選択的に移動させるべくアーチ部材をポスト部材に対して回転させるために、２つの安定配置間を基部に対して移動可能となっているレバー組立体とを備え、レバー組立体が、相互に接続されている少なくとも第一のリンク部材と第二のリンク部材とを有しているレバーアーチ型ファイル機構において、レバー組立体が２つの安定配置間を移動する間、第一のリンク部材が、第一の角度まで基部の部材に対して回転可能となっており、第二のリンク部材が、第一の角度とは異なる第二の角度まで基部の部材に対して回転可能となっていることを特徴とする機構が提供されている。
【０００９】
ここで、添付の図面を参照して、本発明にかかるレバーアーチ型ファイル機構の実施形態を例示のみを目的として記載する。
【発明を実施するための最良の形態】
【００１０】
図１Ａ〜図５Ｄには、本発明の第一の実施形態にかかるレバーアーチ型ファイル機構が示され、その全体が符号１００で表されている。図２〜図５Ｄにおいて明瞭に示されているように、機構１００は、おおむね平坦な基部１０２を備えており、この基部１０２は、そこから延びているとともにそれに対しておおむね垂直となっている直立壁１０４を有している。壁１０４は、基部１０と一体式に形成されている。すなわち、壁１０４は、同一の金属シートから打ち抜かれ、押し曲げられ、基部１０２に対して定位置に固定されている。２つのポスト部材１０６は、基部１０２に固定され、基部１０２に対して移動しないようになっている。
【００１１】
機構１００に、符号１０８でその全体が示されている手操作可能なレバー組立体が設けられている。レバー組立体１０８は、ピン１１０を通じて、ローラ１１２を支持するようになっている。弾力性を有しているバネ板１１４は、スロット１１８を通して基部１０２と係合される第一の側部１１６と、２つのアーチ１２４の間にあってこれらのアーチを結合している成形部１２２の下側に作用する反対側の第二の側部１２０とを有している。この実施形態では、アーチ１２４および成形部１２２は、一体式になっているため、同時に移動可能となっている。これに代えて、アーチ１２４および成形部１２２は、別個に形成され、同時に移動可能とするために相互に固定されてもよい。
【００１２】
図３〜図５Ｄに示されているように、組み立てられると、ローラ１１２は、成形部１２２の上に乗って、それに沿って移動することができるようになっている。図３〜図５Ｄに示されている配置では、ポスト１０６およびアーチ１２４のそれぞれ対応する自由端は、たとえば孔の開いている紙（図示せず）を保持するために２つの閉鎖されたリングを形成すべく、相互にかつ対になって係合するようになっている。このリング閉鎖配置では、ローラ１１２は、成形部１２２上の上側安定位置に置かれている。
【００１３】
図２をさらに参照すると、壁１０４を貫通して孔１２６が設けられていることが分かる。これに加えて、２つの突出部１２８が、壁１０４と一体式に形成され、成形部１２２の方向に向かってかつ壁１０４からおおむね垂直に延びている。
【００１４】
耳部１３０が、基部１０２と一体式に形成され、基部１０２から延出し、また、基部１０２に対しておおむね垂直となっている。壁１０４と同様に、耳部１３０もまた、基部１０２と同一の金属シートから打ち抜かれ、押し曲げられて形成されうる。耳部１３０は基部１０２に対して固定されており、この耳部１３０を貫通して孔１３１が設けられている。したがって、孔１２６を通る縦軸および孔１３１を通る縦軸は、基部１０２に対して固定され、互いに平行になっている。明らかなように、孔１２６を通る軸と基部１０２との間の距離は、孔１３１を通る軸と基部１０２との間の距離よりも長くなっている。簡単にいえば、孔１３１は、孔１２６よりも基部１０２に近いところにある。
【００１５】
図２および図３に示されているように、レバー組立体１０８は、３つのリンク部材１３２、１３４、１３６を備えており、これらのリンク部材は、相互に接続され回転可能となっている。ここで、リンク１３２は、リンク１３４を通じてリンク１３６と接続されている。図９においてより明瞭に示されているように、リンク１３２をリベット１３８によりリンク１３４と接続することにより、リンク１３２とリンク１３４との間の相対的な回転運動が可能となっている。リンク１３４をリベット１４０によりリンク１３６と接続することにより、リンク１３４とリンク１３６との間の相対的な回転運動が可能となっている。レバー組立体１０８は、リベット１４２をリンク１３２の孔１４４と耳部１３０の孔１３１とに挿入してリンク１３２を耳部１３０と回転可能に係合させることによって、基部１０２に搭載されるようになっている。このようにして、リンク１３２は、基部１０２に対して固定されている軸を中心として、耳部１３０に対して回転運動することが可能になっている。これに加えて、リンク１３６は、リベット１４６をリンク１３６の孔１４８と壁１０４の孔１２６とに挿入することにより、壁１０４に回転可能に係合されるようになっている。したがって、リンク１３６は、基部に対して固定されている軸を中心として、壁１０４に対して回転運動可能になっている。また、図から明らかなように、リンク１３６の一方の端部はリンク１３４と接続されており、リンク１３６の他方の端部は、リンク１３６に対して自由に回転可能となっているローラ１１２を支持するようになっている。
【００１６】
レバー組立体１０８をこのように組み立てると、レバー組立体１０８を、リングが閉じられているような（「リング閉鎖配置」）図３〜図５Ｄに示されている安定配置と、リングが開かれているような（「リング開放配置」）図６〜図８Ｄに示されているような安定配置との間を手動でリンク１３２を操作することにより移動することが可能となる。リング開放配置では、ポスト１０６およびアーチ１２４のそれぞれ対応する自由端部は、相互にかつ対になって離脱しており、これにより、孔の開いているシートをポスト１０６およびアーチ１２４から取り出してもよいしまたは挿入してもよい。
【００１７】
図５Ａと図８Ａとの比較によりさらに明らかになるように、リンク１３２がリベット１４２の軸を中心として上方へ（すなわち、図５Ａの矢印Ａによって示される方向に）回転されると、リンク１３４は、図５Ａで示されているような位置から図８Ａで示されているような位置へ移動させられ、これにより、リンク１３６が、壁１０４に対して固定されているリベット１４６の軸を中心として回転し、図８Ａに示されている位置をとるようになっている。図から明らかなように、リンク１３６の回転運動により、ローラ１１２が、図５Ａに示されている下側安定位置（この位置は基部１０２に近い）から、図８Ａに示されている上側安定位置（この位置は基部１０２から遠く離れている）へ移動するようになっている。このような運動によって、バネ板１１４（これは、成形部１２２の下側に作用するようになっている）は、上方に跳ね上がり、成形部１２２を回転、揺動させて、アーチ１２４をポスト１０６から離れる方向に回転させることにより、リングを開くようになっている。図から明らかなように、このあとのリンク１３２の下方に向かう回転運動により、図５Ａに示されているような配置にレバー組立体１０８全体を戻すことにより、ポスト１０６およびアーチ１２４から形成されたリングを閉じるようになっている。
【００１８】
壁１０４から延出している突出部１２８は、レバー組立体１０８のリング閉鎖配置とリング開放配置との間のリンク１３６の回転運動の範囲を制限するように作用するようになっている。
【００１９】
図１０Ｂおよび図１１Ｂから明らかであるとともに図２にも示されているように、リンク１３６が回転するようになっている軸Ｐ−Ｐは、基部１０２に対して固定されたままである。同様に、リンク１３２が回転するようになっている軸Ｓ−Ｓも、基部１０２に対して固定されたままである。
【００２０】
図１２には、機構１００の部材のうちの一部のリング閉鎖配置とリング開放配置との間における移動が概略的に示されている。実線は、リング閉鎖配置におけるリンク１３２、１３４，１３６およびバネ板１１４の位置を示しており、破線は、リング開放配置におけるリンク（ここで、１３２’１３４’、１３６’の符号を付与する）およびバネ板（ここで、１１４’の符号を付与する）の位置を示している。実際のところ、本発明にかかる上述の構造の場合、レバー組立体１０８がリング閉鎖配置からリング開放配置に移動されるとき、リンク１３２はα角が１８°になるまで回転するが、リンク１３６は、β角が５３°になるまで回転し、β角の値はα角の値の約３倍であることが見出されている。回転角度をαからβに増大すると、従来のレバーアーチ型ファイル機構と比較して、ローラ１１２が上昇しうる垂直距離が増大することになる。図で示されている具体例の場合、ローラ１１２は、３．８６ｍｍに相当する垂直距離ａだけ上昇する。しかしながら、成形部１２２の形状（中間部が上方に出っ張っており、両側では、長手方向に沿って引っ込んでいる形状）のため、バネ板１１４は、６．４ｍｍに相当する垂直距離ｂだけ上方に向かって屈曲することが可能となり、よって、アーチ１２４をポスト１０６からさらに遠くに離れていく方向に回転させることが可能となる。
【００２１】
機構１００は、レバーアーチ型ファイルを形成するため、リベットにより基板（たとえば、カードボードカバー）に固定されてもよい。
【００２２】
図１３Ａ〜図１７Ｄには、本発明の他の実施形態にかかるレバーアーチ型ファイル機構が例示され、その全体が符号２００で示されている。機構２００と先に記載された機構１００との間の差異は、主として、符号２０８により全体が示されているレバー組立体の構造にある。
【００２３】
図２１により明瞭に示されているように、レバー組立体２０８は４つのリンク２１０、２１２、２１４、２１６を備えている。これらのリンクは、直接的にまたは間接的に相互に接続されているとともに、相互に回転運動可能となっている。リンク２１０は、リベット２１８によりリンク２１２の端部と回転可能に係合されている。リンク２１２の他の端部は、リベット２２０によりリンク２１４の端部に回転可能に係合されている。リンク２１４の他の端部は、リベット２２２によりリンク２１６の端部に回転可能に係合されている。リンク２１６の他の端部は、ピン２２６を通じてローラ２２４を支持している。
【００２４】
リンク２１２は、リベット２３０を通じて耳部２２８と回転可能に係合されている。上述の機構１００の場合と同様に、耳部２２８は、基部２０２に対して固定されているととともに、基部２０２からおおむね垂直に延びている。このような構成とすることにより、リンク２１２は、耳部２２８に対して垂直な軸Ｔ−Ｔ（図１４参照）を中心として、シーソのように回転することが可能となる。リンク２１６は、基部２０２から延びている直立壁２０４を通じて、リベット２３４により孔２３２と回転可能に係合されている。
【００２５】
図１５から図１７Ｄには、安定なリング閉鎖配置に置かれている機構２００が示されており、この配置では、ポスト２０６およびアーチ２０７が、相互にかつ対になって係合し、２つの閉鎖リングを形成している。図１７Ａおよび図１７Ｃから明らかなように、リング閉鎖配置では、リンク２１０は、リンク２１２に対してより低い位置に置かれており、このとき、それらの間の角度はγとなっている。リンク２１０が、図１７Ａに示された矢印Ｂにより示されている方向に向かって下方に回転されると、その結果として、リンク２１２が、同一の方向に向かって図２０Ａ〜図２０Ｄに示されている位置へ回転運動するようになっている。次いで、リンク２１４が、図１７Ａに示されている位置から図２０Ａに示されている位置にまで引っ張り上げられることにより、リンク２１６が、時計回りの方向に向かって図２０Ａに示されている位置へ回転されるようになっている。このようにして、ローラ２２４が、基部２０２から遠く離れる方向に向かって垂直に引き上げられることにより、弾力性のあるバネ板２４０が上方に曲がり、成形部２４２が回転され、一体式に形成されたアーチ２０７がポスト２０６から遠く離れる方向に回転され、リングが開かれることによって、機構２００が、図２０Ａ〜図２０Ｄに示されているような安定したリング開放配置に置かれるようになっている。
【００２６】
図２０Ａから明らかなように、機構２００がリング開放配置に置かれているとき、リンク２１０とリンク２１２との間の角度がδである。この角度は角度γよりも小さい。この配置では、リンク２１０がリンク２１２に対して低い位置に置かれているときのリンク２１０とリンク２１２との間の角度γよりもリンク２１０とリンク２１２との間の角度δが小さくなっており、リンク２１０は、リンク２１２に対して高い位置に置かれているといわれる。図２０Ａから明らかなように、リング開放配置に置かれているとき、リンク２１０の遠位端部２１０ａと水平支持面Ｍとの間にギャップがあり、このことにより、ユーザは、リング閉鎖配置に機構２００を戻すために、指を挿入してリンク２１０を上方に向けて回転させることが可能となっている。
【００２７】
図１７Ｃおよび図２０Ｃをさらに参照すると明らかなように、リンク２１０は、リンク２１０とリンク２１２との間の相対的な回転運動を制限するための上方内側停止面と下方内側停止面とを有している。具体的にいえば、リンク２１０がリンク２１２に対して低い位置に置かれているといわれる図１７Ｃに示された配置では、リンク２１０の上方内側停止面は、リンク２１０がリンク２１２に対してさらに下方に回転移動しないようにするためにリンク２１２の上側縁部のうちの一部分と接触するようになっている。リンク２１０がリンク２１２に対して高い位置に置かれているといわれる図２０Ｃにより示されている配置では、リンク２１０の下方内側停止面は、リンク２１０がリンク２１２に対してさらに下方に回転移動しないようにするためにリンク２１２の下側縁部のうちの一部分と接触するようになっている。また、このような配置は、リンク２１０を操作することによりリンク２１２の移動の補助をする。また、図１７Ｃに示されている配置に置かれているとき、レバー組立体２０８の配置、ひいてはポスト２０６およびアーチ２０７により構成されるリングの配置を変えることなく、リンク２１０を、リンク２１７に対する上側位置と下側位置との間を移動させることが可能となる。
【００２８】
図２２Ａおよび図２２Ｂには、リング閉鎖配置に置かれているときのレバー組立体２０８の配置が示されており、図２２Ａおよび図２２Ｂには、リング開放配置に置かれているときのレバー組立体２０８の配置が示されている。
【００２９】
図２４には、機構２００の部材のうちの一部のリング閉鎖配置とリング開放配置との間における移動が概略的に示されている。実線は、リング閉鎖配置におけるリンク２１２、２１４，２１６およびバネ板２４０の位置を示しており、破線は、リング開放配置におけるリンク（ここで、２１２’２１４’、２１６’の符号を付与する）およびバネ板（ここで、２４０’の符号を付与する）の位置を示している。実際のところ、本発明にかかる上述の構造では、レバー組立体２０８がリング閉鎖配置からリング開放配置に移動されるとき、リンク２１２はθ角が２３°になるまで回転するが、リンク２１６は、φ角が５９°になるまで回転し、φ角の値はθ角の値の２倍を上回ることが見出されている。回転角度をθからφに増大すると、従来のレバーアーチ型ファイル機構と比較して、ローラ２２４が上昇しうる垂直距離が増大することになる。図で示されている具体例の場合、ローラ２２４は、３．７４ｍｍに相当する垂直距離ｅだけ上昇する。しかしながら、成形部２４２の形状（中間部が上方に出っ張っており、両側では、長手方向に沿って引っ込んでいる形状）のため、バネ板２４０は、６．１ｍｍに相当する垂直距離ｆだけ上方に向かって屈曲することが可能となり、よって、アーチ２０７をポスト２０６からさらに遠に離れる方向に回転させることが可能となる。
【００３０】
機構２００は、レバーアーチ型ファイルを形成するため、リベットにより基板、たとえば、カードボードカバーに固定されてもよい。
【００３１】
いうまでもなく、ここでは、本発明を実行しうる具体例が示されているだけであり、さまざまな変更および／または変形が発明の精神から逸脱することなく加えられてもよい。
【００３２】
また、いうまでもなく、明瞭さのために、本発明の特徴が別々の実施形態において記載されているが、これらの特徴が、単一の実施形態において組み合わせて用いられてもよい。また、これとは異なり、簡潔さのために単一の実施形態に記載されている本発明のさまざまな特徴が、別々に提供されてもよいしまたは任意の適切なさらに小さな組み合わせで提供されてもよい。
【図面の簡単な説明】
【００３３】
【図１Ａ】リング閉鎖配置にある本発明の第一の実施形態にかかるレバーアーチ型ファイル機構を示す正面図である。
【図１Ｂ】図１Ａに示されたレバーアーチ型ファイル機構を示す底面図である。
【図１Ｃ】図１Ａに示されたレバーアーチ型ファイル機構を示す平面視である。
【図１Ｄ】図１Ａに示されたレバーアーチ型ファイル機構を示す右側面図である。
【図１Ｅ】図１Ａに示されたレバーアーチ型ファイル機構を示す左側面図である。
【図２】図１Ａに示されたレバーアーチ型ファイル機構を示す分解斜視図である。
【図３】図１Ａに示されたレバーアーチ型ファイル機構を示す正面斜視図である。
【図４】図１Ａに示されたレバーアーチ型ファイル機構を示す後面斜視図である。
【図５Ａ】図３に示されたレバーアーチ型ファイル機構を示す正面図である。
【図５Ｂ】図５Ａに示されたレバーアーチ型ファイル機構を示す左側面図である。
【図５Ｃ】図５Ａに示されたレバーアーチ型ファイル機構を示す背面図である。
【図５Ｄ】図５Ａに示されたレバーアーチ型ファイル機構を示す右側面図である。
【図６】リング開放配置にある図３に示されたレバーアーチ型ファイル機構を示す正面斜視図である。
【図７】図６に示されたレバーアーチ型ファイル機構を示す後面斜視図である。
【図８Ａ】図６に示されたレバーアーチ型ファイル機構を示す正面図である。
【図８Ｂ】図８Ａに示されたレバーアーチ型ファイル機構を示す左側面図である。
【図８Ｃ】図８Ａに示されたレバーアーチ型ファイル機構を示す背面図である。
【図８Ｄ】図８Ａに示されたレバーアーチ型ファイル機構を示す右側面図である。
【図９】図１Ａに示されたレバーアーチ型ファイル機構のレバー組立体を示す分解斜視図である。
【図１０Ａ】レバーアーチ型ファイル機構がリング閉鎖配置にあるときの図９に示されたレバー組立体を示す背面図である。
【図１０Ｂ】図１０Ａに示されたレバー組立体を示す斜視図である。
【図１１Ａ】レバーアーチ型ファイル機構がリング開放配置にあるときの図９に示されたレバー組立体を示す背面図である。
【図１１Ｂ】図１１Ａに示されたレバー組立体を示す斜視図である。
【図１２】レバーアーチ型ファイル機構がリング閉鎖配置およびリング開放配置にあるときの図９に示されたレバー組立体のそれぞれの場合の配置を示す概略図である。
【図１３Ａ】リング閉鎖配置にあるときの本発明の他の実施形態にかかるレバーアーチ型ファイル機構を示す正面図である。
【図１３Ｂ】図１３Ａに示されたレバーアーチ型ファイル機構を示す底面図である。
【図１３Ｃ】図１３Ａに示されたレバーアーチ型ファイル機構を示す平面図である。
【図１３Ｄ】図１３Ａに示されたレバーアーチ型ファイル機構を示す右側面図である。
【図１３Ｅ】図１３Ａに示されたレバーアーチ型ファイル機構を示す左側面図である。
【図１４】図１３Ａに示されたレバーアーチ型ファイル機構を示す分解斜視図である。
【図１５】図１３Ａに示されたレバーアーチ型ファイル機構を示す正面斜視図である。
【図１６】図１３Ａに示されたレバーアーチ型ファイル機構を示す後面斜視図である。
【図１７Ａ】図１５に示されたレバーアーチ型ファイル機構を示す正面図である。
【図１７Ｂ】図１７Ａに示されたレバーアーチ型ファイル機構を示す左側面図である。
【図１７Ｃ】図１７Ａに示されたレバーアーチ型ファイル機構を示す背面図である。
【図１７Ｄ】図１７Ａに示されたレバーアーチ型ファイル機構を示す右側面図である。
【図１８】リング開放配置にある図１５に示されたレバーアーチ型ファイル機構を示す正面斜視図である。
【図１９】図１８に示されたレバーアーチ型ファイル機構を示す後面斜視図である。
【図２０Ａ】図１８に示されたレバーアーチ型ファイル機構を示す正面図である。
【図２０Ｂ】図２０Ａに示されたレバーアーチ型ファイル機構を示す左側面図である。
【図２０Ｃ】図２０Ａに示されたレバーアーチ型ファイル機構を示す背面図である。
【図２０Ｄ】図２０Ａに示されたレバーアーチ型ファイル機構を示す右側面図である。
【図２１】図１３Ａに示されたレバーアーチ型ファイル機構のレバー組立体を示す分解斜視図である。
【図２２Ａ】レバーアーチ型ファイル機構がリング閉鎖配置にあるときの図２１に示されたレバー組立体を示す背面図である。
【図２２Ｂ】図２２Ａに示されたレバー組立体の斜視図である。
【図２３Ａ】レバーアーチ型ファイル機構がリング開放配置にあるときの図２１に示されたレバー組立体の背面図である。
【図２３Ｂ】図２３Ａに示されたレバー組立体の斜視図である。
【図２４】レバーアーチ型ファイル機構がリング閉鎖配置およびリング開放配置にあるときの図２１に示されたレバー組立体のそれぞれの場合の配置を示す概略図である。
【符号の説明】
【００３４】
１００・・・（レバーアーチ型ファイル）機構
１０６・・・ポスト部材
１０８・・・レバー組立体
１２４・・・アーチ
１３２・・・リンク
１３４・・・リンク
１３６・・・リンク
【図１Ａ】
2008260263.tif 000003
【図１Ｂ】
2008260263.tif 000004
【図１Ｃ】
2008260263.tif 000005
【図１Ｄ】
2008260263.tif 000006
【図１Ｅ】
2008260263.tif 000007
【図２】
2008260263.tif 000008
【図３】
2008260263.tif 000009
【図４】
2008260263.tif 000010
【図５Ａ】
2008260263.tif 000011
【図５Ｂ】
2008260263.tif 000012
【図５Ｃ】
2008260263.tif 000013
【図５Ｄ】
2008260263.tif 000014
【図６】
2008260263.tif 000015
【図７】
2008260263.tif 000016
【図８Ａ】
2008260263.tif 000017
【図８Ｂ】
2008260263.tif 000018
【図８Ｃ】
2008260263.tif 000019
【図８Ｄ】
2008260263.tif 000020
【図９】
2008260263.tif 000021
【図１０Ａ】
2008260263.tif 000022
【図１０Ｂ】
2008260263.tif 000023
【図１１Ａ】
2008260263.tif 000024
【図１１Ｂ】
2008260263.tif 000025
【図１２】
2008260263.tif 000026
【図１３Ａ】
2008260263.tif 000027
【図１３Ｂ】
2008260263.tif 000028
【図１３Ｃ】
2008260263.tif 000029
【図１３Ｄ】
2008260263.tif 000030
【図１３Ｅ】
2008260263.tif 000031
【図１４】
2008260263.tif 000032
【図１５】
2008260263.tif 000033
【図１６】
2008260263.tif 000034
【図１７Ａ】
2008260263.tif 000035
【図１７Ｂ】
2008260263.tif 000036
【図１７Ｃ】
2008260263.tif 000037
【図１７Ｄ】
2008260263.tif 000038
【図１８】
2008260263.tif 000039
【図１９】
2008260263.tif 000040
【図２０Ａ】
2008260263.tif 000041
【図２０Ｂ】
2008260263.tif 000042
【図２０Ｃ】
2008260263.tif 000043
【図２０Ｄ】
2008260263.tif 000044
【図２１】
2008260263.tif 000045
【図２２Ａ】
2008260263.tif 000046
【図２２Ｂ】
2008260263.tif 000047
【図２３Ａ】
2008260263.tif 000048
【図２３Ｂ】
2008260263.tif 000049
【図２４】
2008260263.tif 000050